(57)【要約】ＯＵ（観察ユニット）センサとＡＯＵ（補助観察ユニット）センサとが周囲環境に関連して較正される。ＯＵセンサとＡＯＵセンサとが観察被験者に関連して較正される。受信ユニット（ＲＵ）を用いて、較正されたセンサのための監視パラメータが確立される。ＲＵを用いてある種の監視が開始される。ＯＵセンサとＡＯＵセンサとからデータが集められる。集められたデータが、確立された監視パラメータを超えることが判定される。判定に基づいて１つ以上の警報が生成される。【選択図】図６
2018513738.tif 000002
【特許請求の範囲】
【請求項１】
コンピュータ実装方法であって：
周囲環境に関連してＯＵ（観察ユニット）センサとＡＯＵ（補助観察ユニット）センサとを較正するステップと；
観察被験者に関連して前記ＯＵセンサと前記ＡＯＵセンサとを較正するステップと；
受信ユニット（ＲＵ）を用いて、前記較正されたセンサのための監視パラメータを確立するステップと；
前記ＲＵを用いてある種の監視を開始するステップと；
前記ＯＵセンサと前記ＡＯＵセンサとからデータを集めるステップと；
前記集めたデータが前記確立された監視パラメータを超えることを判定するステップと；
前記判定に基づいて１つ以上の警報を生成するステップと；を備える、
コンピュータ実装方法。
【請求項２】
前記周囲環境に関連する較正が、音声、温度、圧力、光レベル、湿度、又は嗅覚的条件、のうちの少なくとも１つに関するデータを含む、
請求項１に記載のコンピュータ実装方法。
【請求項３】
前記観察被験者に関連した較正が、特定の被験者、通常の皮膚温度、通常の呼吸温度、呼吸規則性、呼吸の明瞭さ、胸の上下動、心拍数、心臓の規則性、又は位置マッピングを用いた様々な身体位置、のうちの少なくとも１つを含む、
請求項１に記載のコンピュータ実装方法。
【請求項４】
特定の熱センサそれ自体、熱画像、及び周囲環境の温度を用いて熱的較正が遂行される、
請求項１に記載のコンピュータ実装方法。
【請求項５】
前記ＯＵセンサ、前記ＡＯＵセンサ、又は前記ＲＵセンサから集められたセンサデータと共にメタデータを含むステップを備える、
請求項１に記載のコンピュータ実装方法。
【請求項６】
メタデータが、時刻、日付、地理的位置、時間間隔、セキュリティデータ、観察者識別情報、又は被験者識別情報のうちの少なくとも１つを含むことができる、
請求項１に記載のコンピュータ実装方法。
【請求項７】
前記ＡＯＵセンサが身体に装着される、又はマットレスの上、中、若しくは下に配置される、
請求項１に記載のコンピュータ実装方法。
【請求項８】
コンピュータシステムにより実行可能な１つ以上の指令を格納して作動を実行する持続性コンピュータ読み取り可能媒体であって、前記作動は：
周囲環境に関連してＯＵ（観察ユニット）センサとＡＯＵ（補助観察ユニット）センサとを較正するステップと；
観察被験者に関連して前記ＯＵセンサと前記ＡＯＵセンサとを較正するステップと；
受信ユニット（ＲＵ）を用いて、前記較正されたセンサのための監視パラメータを確立するステップと；
前記ＲＵを用いてある種の監視を開始するステップと；
前記ＯＵセンサと前記ＡＯＵセンサとからデータを集めるステップと；
前記集めたデータが前記確立された監視パラメータを超えることを判定するステップと；
前記判定に基づいて１つ以上の警報を生成するステップと；を備える、
持続性コンピュータ読み取り可能媒体。
【請求項９】
前記周囲環境に関連した較正が、音声、温度、圧力、光レベル、湿度、又は嗅覚的条件のうちの少なくとも１つに関するデータを含む、
請求項８に記載の持続性コンピュータ読み取り可能媒体。
【請求項１０】
前記観察被験者に関連した較正が、特定の被験者、通常の皮膚温度、通常の呼吸温度、呼吸規則性、呼吸の明瞭さ、胸の上下動、心拍数、心臓の規則性、又は位置マッピングを用いた様々な身体位置のうちの少なくとも１つを含む、
請求項８に記載の持続性コンピュータ読み取り可能媒体。
【請求項１１】
特定の熱センサそれ自体、熱画像、及び周囲環境の温度を用いて熱的較正が遂行される、
請求項８に記載の持続性コンピュータ読み取り可能媒体。
【請求項１２】
前記ＯＵセンサ、前記ＡＯＵセンサ、又は前記ＲＵセンサから集められたセンサデータと共にメタデータを含めよという指令を備える、
請求項８に記載の持続性コンピュータ読み取り可能媒体。
【請求項１３】
メタデータが、時刻、日付、地理的位置、時間間隔、セキュリティデータ、観察者識別情報、又は被験者識別情報のうちの少なくとも１つを含むことができる、
請求項８に記載の持続性コンピュータ読み取り可能媒体。
【請求項１４】
前記ＡＯＵセンサが身体に装着される、又はマットレスの上、中、若しくは下に配置される、
請求項８に記載の持続性コンピュータ読み取り可能媒体。
【請求項１５】
コンピュータシステムであって：
コンピュータメモリと；
前記コンピュータメモリに相互作動可能に接続され、１つ以上の作動を行うように構成されたハードウェアプロセッサと；を備え、
前記作動は：
周囲環境に関連してＯＵ（観察ユニット）センサとＡＯＵ（補助観察ユニット）センサとを較正するステップと；
観察被験者に関連して前記ＯＵセンサと前記ＡＯＵセンサとを較正するステップと；
受信ユニット（ＲＵ）を用いて、前記較正されたセンサのための監視パラメータを確立するステップと；
前記ＲＵを用いてある種の監視を開始するステップと；
前記ＯＵセンサと前記ＡＯＵセンサとからデータを集めるステップと；
前記集めたデータが前記確立された監視パラメータを超えることを判定するステップと；
前記判定に基づいて１つ以上の警報を生成するステップと；を備える、
コンピュータシステム。
【請求項１６】
前記周囲環境に関連した較正が、音声、温度、圧力、光レベル、湿度、又は嗅覚的条件のうちの少なくとも１つに関するデータを含む、
請求項１５に記載のコンピュータシステム。
【請求項１７】
前記観察被験者に関連した較正が、特定の被験者、通常の皮膚温度、通常の呼吸温度、呼吸規則性、呼吸の明瞭さ、胸の上下動、心拍数、心臓の規則性、又は位置マッピングを用いた様々な身体位置のうちの少なくとも１つを含み、特定の熱センサそれ自体、熱画像、及び周囲環境の温度を用いて熱的較正が遂行される、
請求項１５に記載のコンピュータシステム。
【請求項１８】
前記ＯＵセンサ、前記ＡＯＵセンサ、又は前記ＲＵセンサから集められたセンサデータと共にメタデータを含む１つ以上の作動を行うように構成された、
請求項１５に記載のコンピュータシステム。
【請求項１９】
メタデータが、時刻、日付、地理的位置、時間間隔、セキュリティデータ、観察者識別情報、又は被験者識別情報のうちの少なくとも１つを含むことができる、
請求項１５に記載のコンピュータシステム。
【請求項２０】
前記ＡＯＵセンサが身体に装着される、又はマットレスの上、中、若しくは下に配置される、
請求項８に記載の持続性コンピュータ読み取り可能媒体。
【発明の詳細な説明】
【技術分野】
【０００１】
［優先権主張］
本願は、２０１５年４月１０日に出願された米国特許出願第６２／１４５，９４２号の優先権を主張し、参照によりその内容を全て引用して本願に組み込む。
【背景技術】
【０００２】
現在、被験者（例えば、乳幼児、子供、又は医療患者）の観察及び監視で用いられる装置は、主に特定の被験者に関する視覚情報及び聴覚情報を得て、これを送信し、観察者／監視者が、受信した視覚情報及び聴覚情報にほぼ基づいて被験者の容態／健康に対して結論を下せるように設計されている。例えば、従来の乳幼児監視装置は、介護者（例えば、親、ベビーシッター、デイケア従事者、看護師、又は医師）へ基本的な聴覚情報及び／又はビデオ情報を提供し、介護者はその情報により、子供が泣いているのかどうか、子供の泣き声の状態の何らかの様相、及び／又は得られた視覚画像に見られる何らかの様相に基づいて幼児の容態／健康を評価できるようになっている。しかし、介護者が潜在的な健康上の緊急事態に関し、受信した聴覚的及び／又は視覚的手掛かりを解釈したり、慣用的に得られた基本的な聴覚データ／視覚データに基づいて特定の被験者の容態／健康を適切に評価したりすることに熟達していない場合が多いと考えられる。そのうえ、慣用的に得られた基本的な聴覚データ及び／又はビデオデータは、具体的な警報を発生させるのに必要なデータ、有用なデータ（例えば、呼吸数、心拍数、又は中核体温）、及び／又は、状況によっては、介護者の応答時間を改善して被観察者に関連する潜在的に生命を脅かす状況（例えば、乳幼児突然死症候群（ＳＩＤＳ）、不規則な呼吸、体温変化、心不整脈、若しくは誤嚥の発症）を低減／排除する、又は医療的分析に有用な履歴情報を提供することができる追加のデータ（例えば、ログ又はチャート）を提供することができない。
【発明の概要】
【０００３】
本開示は、マルチ（多、複数）センサ・モジュール式の観察及び監視システム（ＭＭＯＳ）について述べる。本態様の他の実施は、対応するコンピュータシステム、装置、及び１つ以上のコンピュータ読み取り可能媒体／格納デバイスに記録されたコンピュータプログラムを含み、各コンピュータプログラムは、記載のマルチセンサ・モジュール式の観察システムに関連する方法の作業を遂行するように構成されている。１つ以上のコンピュータから成るシステムは、システムにインストールされた、作動時にシステムに作業を遂行させるソフトウェア、ファームウェア、ハードウェア、又は、ソフトウェア、ファームウェア若しくはハードウェアの組み合わせ、を有することにより、特定の操作又は作業を遂行するように構成することができる。１つ以上のコンピュータプログラムは、データ処理装置によって実行されるときに装置に作業を遂行させる指令を含むことで、特定の操作又は作業を遂行するように構成することができる。
【０００４】
実施において、観察ユニット（ＯＵ、observation unit）センサ及び補助観察ユニット（ＡＯＵ、auxiliary observation unit）センサは周囲環境に関連して較正される。さらに、ＯＵセンサ及びＡＯＵセンサは、観察被験者にも関連して較正される。受信ユニット（ＲＵ、receiving unit）を用いて、較正されたセンサのための監視パラメータが確立される。ＲＵを用いてある種の監視が開始される。ＯＵセンサ及びＡＯＵセンサからデータが集められる。集められたデータが、確立された監視パラメータを超える、と判定された場合、その判定に基づいて１つ以上の警報が生成される。
【０００５】
本明細書に記載する主題は、特定の実施において以下の利点の１つ以上を実現するために実施することができる。第１に、ＭＭＯＳは、被観察者に関連する重要な追加の物理的データを介護者に提供する。追加の物理的データ（例えば、呼吸数、心拍数、又は中核体温）は、介護者にとって、世話をしている被観察者の容態／健康についてより包括的かつ全体的な評価を下す際に有用であろう。第２に、追加の物理的データを、慣用的に得られた聴覚データ及び／又は視覚データと組み合わせて用いて、応答時間を改善して潜在的な健康上の緊急事態を減らす／排除することができる。第３に、ＭＭＯＳは、具体的に必要であり、より正確な監視データ（例えば、心拍数、呼吸数、皮膚温度、又は疼痛／不快感の音声兆候）を提供するために、被監視者の上（例えば、心電図センサのように直接身体に取り付ける）、付近（例えば、マットレス又は衣料に取り付ける）、及び／又は周囲（例えば、同じ部屋の中に）に配置することができる追加の使いやすいリモートセンサ（補助観察ユニット（ＡＯＵ））を具備する。第４に、ＭＭＯＳでは、警報パラメータ閾値を超えた（例えば、睡眠時無呼吸、又は心不整脈の場合のように、皮膚温度が異常に低い／高い、呼吸数が異常に浅い、低い／停止した、又は高い）場合にアラームが発生するように、複数のデータパラメータ用の警報パラメータ閾値を事前に設定したり、動的に変動させたりすることができる。１つ以上の警報パラメータ閾値を超えた場合、介護者は、被監視者の容態／健康に関して更に問い合わせすべきか否かを判断できる、又は、ＭＭＯＳは自動問い合わせを開始できる。第５に、ＭＭＯＳは、被監視者を安心させたり、履歴及び／又はトレーニング、及び／又は他の目的のために双方向（及び／又は多方向）音声／ビデオ通信を提供したりすることができる。第６に、ＭＭＯＳは、音声起動／制御、音楽／音声再生、常夜灯、アラーム、嗅覚刺激／治療、加熱／冷却」設備の始動、及び／又は医療装置若しくは他の装置の始動などの追加機能を具備できる。第７に、ＭＭＯＳは、第三者のセンサユニットを用いて拡張機能を具備することができる。第８に、ＭＭＯＳは、広範囲のモバイルデバイス又は他のコンピューティングデバイス（例えば、テレビ、スマートフォン、タブレットコンピュータ、ウェアラブルコンピュータ（例えば、ＧＯＯＧＬＥ  ＧＬＡＳＳなどの頭部装着型スマートデバイス）、スマートウォッチ、ラップトップコンピュータ）と連動して受信ユニット（ＲＵ）機能を具備することができる。受信ユニット機能は、１つ以上の観察ユニット（ＯＵ）／ＡＯＵから受信した観察データの聴覚／視覚的評価、又は他の評価、受信し評価した観察データの編集、及び／又は警報パラメータ閾値に基づくアラームの生成を含むことができる。第９に、ＭＭＯＳは、医療的分析に有用な履歴情報（例えば、ログ又はチャート）を提供することができる。その他の利点は、当業者には明らかであろう。
【０００６】
本明細書の主題の１つ以上の実施の詳細を、添付図面と以下の説明で述べる。主題の他の特徴、態様、及び利点は、説明、図面、及び請求項から明らかになろう。
【図面の簡単な説明】
【０００７】
【図１】図１は、実施による、マルチセンサ・モジュール式の観察及び監視システム（ＭＭＯＳ）の高レベルシステム図を示す。
【０００８】
【図２】図２は、実施による、図１のＭＭＯＳの要素としての観察ユニット（ＯＵ）の低レベル図を示す。
【０００９】
【図３】図３は、実施による、図１のＭＭＯＳの要素としての補助観察ユニット（ＡＯＵ）の低レベル図を示す。
【００１０】
【図４】図４は、実施による、図１のＭＭＯＳの要素としての受信ユニット（ＲＵ）の低レベル図を示す。
【００１１】
【図５】図５は、実施による、ＭＭＯＳにおいて用いられる例示のコンピュータを示すブロック図である。
【００１２】
【図６】図６は、実施による、ＭＭＯＳの使用方法のフローチャートである。
【００１３】
様々な図面における同様の符号及び記号表示は同様の要素を示す。
【発明を実施するための形態】
【００１４】
以下の詳細な説明は、当業者が、開示された主題を製作し、使用し、これを実行できるようにするためのものであり、１つ以上の特定の実施の形態の文脈においてなされる。開示された実施の形態に対して様々な改変を行えることを当業者は容易に分かるであろうし、本明細書で定義する一般原理は、開示の範囲から逸脱することなく他の実施の形態及び用途に適用できる。したがって、本開示は、説明し及び／又は図示した実施の形態に制限されず、本明細書に開示する原理及び特徴と矛盾しない最も広い範囲に従うことを意図する開示である。
【００１５】
ここで記載されているのは、高レベルでのマルチセンサ・モジュール式の観察及び監視システム（ＭＭＯＳ）である。現在、被験者（例えば、乳幼児、子供、又は医療患者）の観察及び監視で用いられる装置は、主に特定の被験者に関する視覚情報及び聴覚情報を得て、これを送信し、観察者／監視者が、受信した視覚情報及び聴覚情報にほぼ基づいて被験者の容態／健康に対して結論を下せるように設計されている。例えば、従来の乳幼児監視装置は、介護者（例えば、親、ベビーシッター、デイケア従事者、看護師、又は医師）へ基本的な聴覚情報及び／又はビデオ情報を提供し、介護者はその情報により、子供が泣いているのかどうか、子供の泣き声の状態の何らかの様相、及び／又は得られた視覚画像に見られる何らかの様相に基づいて幼児の容態／健康を評価できるようになっている。しかし、介護者が潜在的な健康上の緊急事態に関し、受信した聴覚的及び／又は視覚的な手掛かりを解釈したり、慣用的に得られた基本的な聴覚データ／視覚データに基づいて特定の被験者の容態／健康を適切に評価したりすることに熟達していない場合が多いと考えられる。そのうえ、慣用的に得られた基本的な聴覚データ及び／又はビデオデータは、具体的な警報を発生させるのに必要なデータ、有用なデータ（例えば、呼吸数、心拍数、又は中核体温）、及び／又は、状況によっては、介護者の応答時間を改善して被観察者に関連する潜在的に生命を脅かす状況（例えば、乳幼児突然死症候群（ＳＩＤＳ）、不規則な呼吸、体温変化、心不整脈、又は誤嚥の発症）を低減／排除する、又は医療的分析に有用な履歴情報を提供できる追加のデータ（例えば、ログ又はチャート）を提供することができない。
【００１６】
記載するＭＭＯＳは、被観察者に関連する重要な追加の物理的データを介護者に提供する。追加の物理的データ（例えば、呼吸数、心拍数、又は中核体温）は、介護者にとって、世話をしている被観察者の容態／健康についてより包括的かつ全体的な評価を下す際に有用であろう。追加の物理的データを、慣用的に得られた聴覚データ及び／又は視覚データと組み合わせて用いて、応答時間を改善して潜在的な健康上の緊急事態を減らす／排除することができる。追加の物理的データを得るために、実施によっては、ＭＭＯＳは、明確に必要であり且つより正確な監視データ（例えば、心拍数、呼吸頻度、皮膚温度、又は疼痛／不快感の音声兆候）を提供するために、被監視者の上（例えば、心電図センサのように直接身体に取り付ける）、付近（例えば、マットレス又は衣服に取り付ける）、及び／又は周囲（例えば、同じ部屋の中に）に配置することができる追加の使いやすいリモートセンサ（補助観察ユニット（ＡＯＵ））を具備する。
【００１７】
実施によっては、ＭＭＯＳでは、警報パラメータ閾値を超えた（例えば、睡眠時無呼吸又は心不整脈の場合のように、皮膚温度が異常に低い／高い、呼吸数が異常に浅い、低い／停止した、又は高い）場合にアラームを発生させるために、複数のデータパラメータ用の警報パラメータ閾値を事前に設定したり、動的に変動させたりすることができる。１つ以上の警報パラメータ閾値を超えた場合、介護者は、被監視者の容態／健康に関して更に問い合わせすべきか否かを判断できる、又は、ＭＭＯＳは自動問い合わせを開始できる。実施によっては、警報パラメータ閾値を、１つ以上の警報パラメータ値への変化／１つ以上の警報パラメータ閾値の変化、に基づいて動的に変動させることができる。
【００１８】
場合により、ＭＭＯＳは、被監視者に対し、ニーズに対処している（例えば、幼い子供を安心させる、病院患者に助けが送られたことを知らせる、又は介護者に助けを要請する）ことを伝えて安心させるために、双方向（及び／又は多方向）の音声通信／ビデオ通信を提供することもできる。別の実施例では、第三者は、履歴、トレーニング、及び／又は他の目的のために、音声通信及び／又はビデオ通信を監視及び／又は記録するだけであるが、観察者は被験者と通信することができる。
【００１９】
実施によっては、ＭＭＯＳは、音声起動／制御、音楽／音声再生（例えば、子供に本を読んでいる親の録音の再生）、常夜灯、アラーム（例えば、生成される音声及び／又は視覚ストロボ（例えば、緊急事態用））、嗅覚刺激／治療（例えば、アルツハイマー又は認知症患者のための）、加熱／冷却設備（例えば、加熱／冷却パッド又はエアコン／暖房）の始動、及び／又は医療装置（例えば、呼吸治療システム、酸素補給装置、持続的気道陽圧（ＣＰＡＰ）装置）若しくは他の装置の始動などの追加機能を具備できる。
【００２０】
場合により、ＭＭＯＳは更に、受信ユニット（ＲＵ）機能を提供するために広範囲のモバイルデバイス又は他のコンピューティングデバイス（例えば、テレビ（ピクチャー・イン・ピクチャー及び他のモード）、スマートフォン、タブレットコンピュータ、ウェアラブルコンピュータ（例えばＧＯＯＧＬＥ  ＧＬＡＳＳなどの頭部装着型スマートデバイス）、スマートウォッチ、及び／又はラップトップコンピュータ）と連動する能力を含む、拡張されたセンサ機能及び分析機能を提供するために、第三者のセンサユニットの使用を許容するように構成することができる。ＲＵ機能は、１つ以上の観察ユニット（ＯＵ）／ＡＯＵから受信した観察データ（例えば、被監視者の体温、身体位置、呼吸数、又は心拍数）の聴覚／視覚的評価又は他の評価、受信し評価した観察データの編集、及び／又は警報パラメータ閾値に基づくアラームの生成を含むことができる。例えば、異なる位置に横たわっていたり、何も掛けずにいたりする子供は、熱画像カメラ及び／又は温度計を用いて検知可能な異なる量の熱エネルギーを放出する。ＯＵ、ＡＯＵ、及び／又はＲＵ上で実行される画像認識アルゴリズム（例えば、熱画像及び／又は昼光視覚画像を分析する）は、物理的なウェアラブル温度計と照合した視覚画像が、子供の皮膚温度／中核体温が警報パラメータ閾値を下回ったことが検出されたことを示した場合に、アラーム反応及び／又は他の自動反応を始動することができる。ＭＭＯＳは、医療的分析に有用な履歴情報（例えば、ログ又はチャート）を提供することができる。
【００２１】
図１は、一の実施による、マルチセンサ・モジュール式の観察及び監視システム（ＭＭＯＳ）の高レベルシステム図を示す。典型的な実施において、ＭＭＯＳ１００は、ネットワーク１６０によって通信可能に結合された、観察ユニット（ＯＵ）１０２と、任意の補助観察ユニット（ＡＯＵ）１３０と、受信ユニット（ＲＵ）１４０とを含む。なお、図１には、特定の例示構成であるＭＭＯＳ１００が示されているが、ＭＭＯＳ１００は図示の実施に限定されない。当業者には明らかなように、本開示及び以下の記載と矛盾しないＭＭＯＳ１００の可能な構成が数多く存在する。本開示と矛盾しない他の構成は、本開示の範囲内にあるとみなされる。例えば、他の実施において、ＭＭＯＳ１００は、より多くの又はより少ない構成要素を内包することができる、及び／又は、通信接続を、２つ以上のネットワークによって提供することができる。典型的な実施において、ネットワーク１６０は、ＷＩＦＩ、ＢＬＵＥＴＯＯＴＨ（登録商標）、セルラー、及び／又は本開示と矛盾しない他の伝達手段のうちの１つ以上とすることができる。
【００２２】
典型的な操作において、ＭＭＯＳ１００の構成要素により温度測定値（例えば、温度カメラ、デジタル温度計などからの）が集められ、集められた測定値を用い、被験者から伝達される熱の量（例えば、皮膚、呼吸など）、及び、例えば、露出した皮膚、露出した皮膚の領域（例えば、被験者位置、皮膚温度などを判定する）、呼吸温度（例えば、呼吸の規則性、中核体温、被験者の位置など）などの認識マッピングを利用して被観察／被監視者の健康、快適性、位置などを判定する。１つ以上のソフトウェアアプリケーションを用いて、カメラの視野内の被験者（例えば、乳幼児）の位置マッピング及び温度を計算することができる。他のアプリケーションを用いて、ＭＭＯＳ１００の様々な構成要素を較正することができる。例えば、１つ以上のアプリケーションは、カメラを特定の被験者に対して位置決めして較正したり、通常の皮膚／呼吸温度に対して較正したり、様々な身体位置に対して較正したりすることを可能にし、室内の周囲の音声、温度、湿度、又は嗅覚的条件などを較正することができる。嗅覚的条件は、ガス、物質のこぼれ（例えば、薬剤、飲料物など）、吐瀉物、尿、糞便、汗などの存在を示すことができる。別の実施例において、ＯＵ１０２又はＡＯＵ１３０に関連する温度カメラは、３つのセンサの温度示度（例えば、０．２５℃までの精度で物体の温度測定値を提供するように、温度カメラ自体、熱画像、及び周囲温度）に照らして較正することができる。当業者にとっては言うまでもなく、様々なアプリケーションが、本開示と矛盾しない複数のパラメータに対して較正及び判定することができ、これら全てが本開示の範囲内にあるとみなされる。
【００２３】
現行の監視デバイスは、観察者へ画像／音声を提供するだけであるが、典型的な実施において、ＭＭＯＳ１００は、１つ以上の監視対象パラメータ（例えば、温度、位置、呼吸数、音声、湿度、嗅覚的条件など）が事前に設定された又は動的に判定された閾値を超えた場合に、複数のＲＵ１４０（又は、ＯＵ１０２若しくはＡＯＵ１３０など、ＭＭＯＳ１００の他の構成要素）に警報を発することができる。
【００２４】
実施によっては、ＭＭＯＳ１００のＯＵ１０２、ＡＯＵ１３０、及びＲＵ１４０のうちの１つ以上をセルラー（又は他のネットワーク）と連動させてＳＭＳ又はＭＭＳメッセージ、電子メール、ＶＯＩＰセッションを送信し、自動電話呼び出し（例えば、救急隊員、観察者などに）を発するように構成することができる。ＭＭＯＳ１００は、本開示と矛盾しない任意の他の種類の通信を発生することもできる。
【００２５】
高レベルでかつ典型的な実施において、ＯＵ１０２は、ＭＭＯＳ１００において、ＭＭＯＳ１００の１つ以上の構成要素へ一般的なセンサデータを提供するために用いられる知覚的コンピューティングデバイスである。例えば、典型的な実施において、ＯＵ１０２は、観察／監視すべき被験者に比較的近づいて配置される（例えば、テーブル、棚、光源／移動体にクリップしたり、壁に掛けたブラケットに取り付けたりするなど）。ＯＵ１０２と共に構成されるセンサ（複数可）の種類に応じ、ＯＵ１０２は、被験者のより近く又はより遠くに位置決めしなければならない場合がある。呼吸音を検出するために用いられる聴覚センサ（マイクロホン）を含むＯＵ１０２の場合、ＯＵ１０２は、被験者の比較的近くに位置決めしなければならない場合がある。一方、全体的な皮膚温度及び／又は呼気の呼吸パターン／温度を判定するために用いられる熱画像センサ（例えば、赤外（ＩＲ）温度カメラ）を含むＯＵ１０２の場合、ＯＵ１０２は、被験者から相対的に遠方に配置される可能性が高い。
【００２６】
高レベルでかつ典型的な実施において、ＡＯＵ１３０は、ＭＭＯＳ１００において、ＭＭＯＳ１００の１つ以上の構成要素にＯＵ１０２よりも正確なセンサデータを提供するために用いられる知覚的コンピューティングデバイスである。典型的には、ＡＯＵ１３０は、１つ以上のＯＵ１０２と通信可能に接続するが、ＲＵ１４０と通信可能に接続することもできる。図１で、ＡＯＵ１３０はネットワーク１６０を用いてＭＭＯＳ１００（及びＯＵ１０２）に接続されているが、実施によっては、ＡＯＵ１３０は、例えば、ＷＩＦＩ、ＢＬＵＥＴＯＯＴＨ（登録商標）、物理的なコネクタ（例えば、ケーブル又はワイヤー）、及び／又は本開示と矛盾しない他の伝達手段を用いて、図示のＯＵ１０２又はＲＵ１４０に直接接続することができる。
【００２７】
典型的な使用例において、熱画像カメラを有するＯＵ１０２が壁のブラケットに取り付けられ、ベッドに横たわる被観察者に向けられる。加えて、心拍数データを集めて提供するために、心拍数センサを有する第１のＡＯＵ１３０を被験者のマットレスの下面に取り付け、温度データを集めるために、温度センサ（例えば、デジタル温度計）を有する第２のウェアラブルＡＯＵ１３０を被験者の腋窩領域にテープ止めし、（例えば、加速度計及び／又はジャイロスコープセンサを用いて）呼吸数と、呼吸毎の胸の上昇量とを検出するために、第３のＡＯＵ１３０を被験者の胸にテープ止めすることができる。第１、第２、及び第３のＡＯＵ１３０は、更なる相関、加工、分析、ＲＵ１４０への転送などのために、集めたデータをＯＵ１０２へ提供することができる。
【００２８】
実施によっては、適切な場合、ＯＵ１０２にＡＯＵ１３０としての役割を負わせることができる。例えば、第１のＯＵ１０２を第２のＯＵ１０２と通信可能に接続することもでき、第２のＯＵ１０２を、第１若しくは第２のＯＵ１０２、又はＲＵ１４０と関連付けて、ＡＯＵ１３０として作用するように、（例えばユーザインターフェース（ＵＩ）を用いて）構成することができる。第２のＯＵ１０２は、ベビーベッドのバーに取り付けることもでき、第２のＯＵ１０２を具備して構成されたマイクロホンを用いて、呼吸の規則性及び明瞭性（例えば、喘鳴がするか否かなど）、咳嗽、嘔吐が発生しているか否かなどを監視できる。
【００２９】
高レベルでかつ典型的な実施において、ＲＵ１４０は、ＭＭＯＳ１００において、被観察／被監視者の容態／健康に対する、観察者／監視者のためのインターフェースを提供するために用いられる知覚的コンピューティングデバイスである。ＲＵ１４０は、典型的な実施において、ＯＵ１０２又はＡＯＵ１３０と連動することができるモバイル若しくは他のコンピューティングデバイス（例えば、テレビ（ピクチャー・イン・ピクチャー及び他のモード）、スマートフォン、タブレットコンピュータ、ウェアラブルコンピュータ（例えばＧＯＯＧＬＥ  ＧＬＡＳＳなどの頭部装着型スマートデバイス）、スマートウォッチ、及び／又はラップトップコンピュータ）である。ＲＵ１４０は、典型的には、ＭＭＯＳ１００において制御要素として作用する。例えば、ＲＵ１４０は、ＲＵ１４０、ＯＵ１０２、ＡＯＵ１３０、及び／又はネットワーク１６０のうちの１つ以上の様々な態様を構成するために用いられるグラフィカルＵＩ（ＧＵＩ）を提供することができる。例えば、ＲＵ１４０の構成は、設定警報パラメータ閾値、データロギングポリシー、ＲＵ１４０が熱画像及び／又は昼光視覚画像を表示するか否か、音声通信を有効及び無効にすること、ＭＭＯＳ１００に関連する様々な要素及び機能を有効及び無効にすることなどを含むことができる。当業者にとっては言うまでもなく、記載のＭＭＯＳ１００の要素には多くの可能な構成がある。なお、本開示と矛盾しない構成はいずれも本開示の範囲内であるとみなされる。
【００３０】
図２は、実施による、図１のＭＭＯＳ１００の要素としての観察ユニット（ＯＵ）１０２の低レベルシステム図２００を示す。典型的な実施において、ＯＵ１０２は、システムバス２２６を介して通信する、ネットワークインターフェース２０２と、外部コネクタ２０４と、メモリ２０６と、アプリケーション２１０と、視覚センサ２１２と、プロセッサ２１４と、ＬＥＤインジケータ２１６と、入力デバイス２１８と、マイクロホン２２０と、スピーカ２２２と、電源２２４とを含む。なお、図２には、特定の例示構成であるＯＵ１０２が示されているが、ＯＵ１０２は、図示の実施に限定されない。当業者には明らかなように、本開示及び以下の記載と矛盾しないＯＵ１０２の可能な構成が数多くある。本開示と矛盾しない他の構成は、本開示の範囲内にあるとみなされる。例えば、他の実施において、ＯＵ１０２は、より多くの又はより少ない構成要素を内包できる、及び／又は通信接続を、２つ以上のシステムバス２２６によって提供できる。
【００３１】
ＯＵ１０２は、ネットワークインターフェース２０２を含む。図２では、単一のインターフェース２０２として示されているが、特定の必要性、要望、又はＯＵ１０２及び／又はＭＭＯＳ１００の特定の実施に応じて、２つ以上のネットワークインターフェース２０２を用いてもよい。ネットワークインターフェース２０２は、ＭＭＯＳ１００内を含め、ネットワーク１６０に接続された分散環境において、他のシステム（図示、不図示に関わりなく）と通信するためにＯＵ１０２によって用いられる。一般に、ネットワークインターフェース２０２は、ネットワーク１６０と適切に組み合わされ、ネットワーク１６０と通信するように作動するソフトウェア及び／又はハードウェアにおいてコード化されたロジックを含む。より具体的には、ネットワークインターフェース２０２は、図示したＯＵ１０２の内部及び外部でネットワーク１６０又はインターフェースのハードウェアが作動して物理的信号を通信するように、通信に関連する１つ以上の通信プロトコルをサポートするソフトウェアを具備してもよい。
【００３２】
外部コネクタ２０４は、脱着可能メモリ（不図示）、電源コネクタ、データ転送インターフェース（例えば、ＵＳＢ、ＦＩＲＥＷＩＲＥ（登録商標）、ＥＴＨＥＲＮＥＴ（登録商標）、又は他のデータ転送インターフェース）などを使用できるようにする１つ以上の脱着可能メモリ（例えば、フラッシュメモリ他）インターフェースを意味し、また、そのように構成することができる。図２では単一の外部コネクタ２０４として示されているが、特定の必要性、要望、又はＯＵ１０２及び／若しくはＭＭＯＳ１００特定の実施に応じて、２つ以上の外部コネクタ２０４を用いてもよい。
【００３３】
メモリ２０６は、ＯＵ１０２及び／又はＭＭＯＳ１００の１つ以上の要素のためのデータを保持し、ＯＵ１０２と共に用いられる本開示と矛盾しない内部型及び外部型（脱着可能な）の両メモリを意味する。例えば、内部型メモリには、１つ以上のフラッシュ及びＬＰＤＤＲ２などを含むことができる。外部型（脱着可能）メモリに、例えば、ＵＳＢメモリスティック、ＣＦカード及びＳＤカードなどがある。図２では、単一のメモリ２０６として示されているが、特定の必要性、要望、又はＯＵ１０２及び／若しくはＭＭＯＳ１００の特定の実施に応じて、２つ以上のメモリ２０６を用いてもよい。
【００３４】
アプリケーション２１０は、特定の必要性、要望、若しくはＯＵ１０２の特定の実施に応じて機能を提供する、及び／又は、ＭＭＯＳ１００に関連し本開示の範囲内の必要な任意の機能を遂行するアルゴリズムソフトウェアエンジンである。例えば、アプリケーション２１０は、図２に関して説明したＯＵ１０２の１つ以上の要素のための機能を提供することができる。この機能の例としては、視覚センサ２１２を用いて熱画像及び昼光画像の両方を集めること、画像を相互に関連付けること、及び相互に関連付けた画像をＲＵ１４０にネットワーク１６０を介して送信することを挙げることができる。様々な程度の画像認識をアプリケーション２１０とネットワーク１６０とを介してＲＵ１４０へ送信されたデータによって遂行することもできる。別の例では、アプリケーション２１０は、ＯＵ１０２とＲＵ１４０との間の双方向通信のためのＯＵ１０２の機能を提供することができる。更に、単一のアプリケーション２１０として示されているが、アプリケーション２１０は、ＯＵ１０２上の複数のアプリケーション２１０として実施してもよい。加えて、ＯＵ１０２と一体に示されているが、代替の実施において、アプリケーション２１０は、ＯＵ１０２及び／又はＭＭＯＳ１００の外部にあるとすることができる。
【００３５】
視覚センサ２１２に含まれるのは、典型的には１つ以上の静止／移動昼光カメラ、ＩＲカメラ、紫外線（ＵＶ）カメラ、又は他のスペクトルカメラである。例えば、視覚センサ２１２は、ＦＬＩＲ  ＬＥＰＴＯＮ熱画像装置及び昼光高解像度（ＨＤ）画像装置を用いて実施することができる。実施によっては、ＩＲ熱画像及びＨＤ昼光画像の両方を併合し、観察者にとって、並びに画像認識及び／又は分析（例えば、アプリケーション２１０及び／又はＲＵ１４０による）にとって、より有用な低光画像を生成できる。実施によっては、ＯＵ１０２は、集められた静止画像／動画と共にメタデータ（例えば、時刻、日付、地理的位置、時間間隔、セキュリティデータ、観察者識別情報、被験者識別情報など）を含むことができる。実施によっては、視覚センサ２１２を用いて集めた画像に音声（例えば、マイクロホン２２０から集められた）を加えることができる。更に、単一の視覚センサ２１２として示されているが、視覚センサ２１２は、ＯＵ１０２上の複数の視覚センサ２１２として実施してもよい。加えて、ＯＵ１０２と一体に示されているが、代替の実施において、視覚センサ２１２は、ＯＵ１０２及び／又はＭＭＯＳ１００の外部にあってもよい。
【００３６】
センサ２１３は、典型的には湿度、大気圧、移動、周囲温度、光暴露／レベル、嗅覚的条件に関連するデータ、及び／又は本開示と矛盾しない他のデータを集める１つ以上のセンサを含む。センサ２１３は、被観察／被監視者の周囲環境及び／又は容態に関する追加情報を提供する。実施によっては、ＯＵ１０２は、センサ２１３から集められたデータと共にメタデータ（例えば、時刻、日付、地理的位置、時間間隔、セキュリティデータ、観察者識別情報、被験者識別情報など）を含むことができる。更に、単一のセンサ２１３として示されているが、センサ２１３は、ＯＵ１０２上の複数のセンサとして実施してもよい。加えて、ＯＵ１０２と一体に示されているが、代替の実施において、センサ２１３は、ＯＵ１０２及び／又はＭＭＯＳ１００の外部にあってもよい。
【００３７】
ＯＵ１０２はプロセッサ２１４を含む。図２では、単一のプロセッサ２１４として示されているが、特定の必要性、要望、又はＯＵ１０２及び／若しくはＭＭＯＳ１００の特定の実施に応じて、２つ以上のプロセッサを用いてもよい。一般に、プロセッサ２１４は、ＯＵ１０２によって遂行される作動（上記のものを含む）を遂行するために、指令を実行しデータを操作する。具体的には、プロセッサ２１４は、ＯＵ１０２及び／又はＭＭＯＳ１００（又はＭＭＯＳ１００の任意の要素）を創出する、作動させる、及び／又は管理するための機能、及び／又はＭＭＯＳ１００に関連し本開示の範囲内の任意の機能を遂行するための機能を実行することができる。実施によっては、プロセッサは、システム・オン・チップ（ＳｏＣ）、システム・イン・パーツ（ＳｉＰ）、又は他の構成（例えば、単一のパッケージ又は強固に統合されたパッケージにメモリコントローラ、プロセッサ、グラフィクスプロセッサ、メモリ、メモリインターフェース、ネットワークインターフェースなどを含む）として構成することができる。これらの実施において、ＯＵ１０２の様々な、記載した要素をプロセッサ２１４に組み込み、プロセッサ２１４によって遂行することができる。
【００３８】
実施によっては、ＯＵ１０２は、ユーザに可視表示を提供するために、発光ダイオード（ＬＥＤ）インジケータ２１６を含むことができる。例えば、ＬＥＤインジケータ２１６は、視覚画像又は聴覚データが集められていること、アラーム状態が開始されていること、バッテリ残量が少ないことなどを示すことができる。実施によっては、伝えるデータによって異なる色、異なるパターンなどに点滅するように、ＬＥＤインジケータ２１６を構成することができる。
【００３９】
実施によっては、入力デバイス２１８は、内蔵キーボード、キーパッド、タッチセンサー式ディスプレイ、音声指令認識装置（例えば、マイクロホン２２０及び／又は指令認識のための音声データを集めるためにＯＵ１０２と接続された／対になったスマートフォン又はスマートウォッチなどの外部デバイスを用いた）などを含むことができる。実施によっては、所望の機能は、２つ以上の入力デバイス２１８を用いて入力する必要がある場合もある。
【００４０】
マイクロホン２２０が音声入力機能を具備する一方、スピーカ２２２は音声出力機能を具備する。実施によっては、マイクロホン２２０及び／又はスピーカ２２２は、より良好な音声入力／出力解像度を提供するために、外部接続された（例えば、外部コネクタ２０４を用いて）マイクロホン２２０及び／又はスピーカ２２２を含むことができる。
【００４１】
実施によっては、電源２２４（power supply）は、ＯＵ１０２を作動させるために用いられるＡＣ／ＤＣ、バッテリ、充電式バッテリ、及び／又は他の動力源（power supply）であってよい。電源２２４は、典型的には、デバイスをオン／オフするための電源スイッチ（例えば、ボタン、トグル、タッチセンサー式、音声制御など）の少なくとも一形態と連動している。実施によっては、ＯＵ１０２は、電池の充電／再充電状態を分析してユーザに知らせる機能を果たす。一部の構成において、充電式バッテリは、ユーザが交換可能とすることも交換不可能とすることもできる。
【００４２】
図３は、実施による、図１のＭＭＯＳ１００の要素としての補助観察ユニット（ＡＯＵ）１３０の低レベル図３００を示す。典型的な実施において、ＡＯＵ１３０は、システムバス３２６を介して通信する、ネットワークインターフェース３０２と、メモリ３０６と、アプリケーション３１０と、センサ３１２と、プロセッサ３１４と、電源３２４とを含む。なお、図３には、特定の例示構成のＡＯＵ１３０が示されているが、ＡＯＵ１３０は、図示の実施に限定されない。当業者には明らかなように、本開示及び以下の記載と矛盾しないＡＯＵ１３０の可能な構成は数多く存在する。本開示と矛盾しない他の構成は、本開示の範囲内にあるとみなされる。例えば、他の実施において、ＡＯＵ１３０は、より多くの若しくはより少ない構成要素を内包することができ、及び／又は、通信接続は、２つ以上のシステムバス３２６によって提供することができる。
【００４３】
ＡＯＵ１３０は、ネットワークインターフェース３０２を含む。図３では、単一のインターフェース３０２として示されているが、特定の必要性、要望、又はＡＯＵ１３０及び／若しくはＭＭＯＳ１００の特定の実施に応じて、２つ以上のネットワークインターフェース３０２を用いてもよい。ネットワークインターフェース３０２は、ＭＭＯＳ１００内を含むネットワーク１６０に接続された分散環境において、他のシステム（図示及び不図示に関わりなく）と通信するためにＡＯＵ１３０によって用いられる。一般に、ネットワークインターフェース３０２は、ネットワーク１６０と適切に組み合わされ、ネットワーク１６０と通信するように作動するソフトウェア及び／又はハードウェアにおいてコード化されたロジックを含む。より具体的には、ネットワークインターフェース３０２は、図示したＡＯＵ１３０の内部及び外部でネットワーク１６０又はインターフェースのハードウェアが物理的信号を通信するように作動するよう、通信に関連する１つ以上の通信プロトコルをサポートするソフトウェアを含んでもよい。
【００４４】
メモリ３０６は、ＡＯＵ１３０及び／又はＭＭＯＳ１００の１つ以上の要素のためのデータを保持し、ＡＯＵ１３０と共に用いられる本開示と矛盾しない内部及び外部型（脱着可能）のメモリを意味する。例えば、内部型メモリは、１つ以上のフラッシュ、ＬＰＤＤＲ２などであってよい。外部型（脱着可能）メモリとしては、例えば、ＵＳＢメモリスティック、ＣＦカード、ＳＤカードなどであってよい。図３では単一のメモリ３０６として示されているが、特定の必要性、要望、又はＡＯＵ１３０及び／若しくはＭＭＯＳ１００の特定の実施に応じて、２つ以上のメモリ３０６を用いてもよい。
【００４５】
アプリケーション３１０は、特定の必要性、要望、又はＡＯＵ１３０の特定の実施に応じて機能を提供する、及び／又は、ＭＭＯＳ１００に関連し本開示の範囲内の必要な任意の機能を遂行する、アルゴリズムソフトウェアエンジンである。例えば、アプリケーション３１０は、図３に関して説明したＡＯＵ１３０の１つ以上の要素のための機能を提供できる。この機能の例としては、センサ３１２から特定のデータ（例えば、心拍検出、胸の上昇／下降など）を集めること、及び集めたセンサデータをＯＵ１０２及び／又はＲＵ１４０にネットワーク１６０を介して送信することを挙げることができる。更に、単一のアプリケーション３１０として示されているが、アプリケーション３１０は、ＡＯＵ１３０上の複数のアプリケーション３１０として実施してもよい。加えて、ＡＯＵ１３０と一体に示されているが、代替の実施において、アプリケーション３１０は、ＡＯＵ１３０、及び／又はＭＭＯＳ１００の外部にあるものとすることができる。
【００４６】
センサ３１２は、被観察／被監視者に関連する様々な種類のデータを検出することができる。例示のセンサは、音声、温度、運動、湿度、大気圧、嗅覚的条件、画像データ（例えば、画像処理を含むＯＵ１０２の機能に類似の）などを集めるセンサを含むことができる。実施によっては、ＡＯＵ１３０は、集められたセンサデータと共にメタデータ（例えば、時刻、日付、地理的位置、時間間隔、セキュリティデータ、観察者識別情報、被験者識別情報など）を含むことができる。更に、単一のセンサ３１２として示されているが、センサ３１２は、ＡＯＵ１３０上の複数のセンサ３１２として実施してもよい。加えて、ＡＯＵ１３０と一体に示されているが、代替の実施において、センサ３１２は、ＡＯＵ１３０及び／又はＭＭＯＳ１００の外部にあるものとすることができる。
【００４７】
ＡＯＵ１３０はプロセッサ３１４を含む。図３では単一のプロセッサ３１４として示されているが、特定の必要性、要望、又はＡＯＵ１３０及び／若しくはＭＭＯＳ１００の特定の実施に応じて、２つ以上のプロセッサを用いてもよい。一般に、プロセッサ３１４は、ＡＯＵ１３０によって遂行される動作（上記のものを含む）を遂行するために、指令を実行しデータを操作する。具体的には、プロセッサ３１４は、ＡＯＵ１３０及び／又はＭＭＯＳ１００（又はＭＭＯＳ１００の任意の要素）を創出する、作動させる、及び／若しくは管理するための機能、並びに／又は、ＭＭＯＳ１００に関連し本開示の範囲内の任意の機能を遂行するための機能、を実行することができる。実施によっては、プロセッサは、システム・オン・チップ（ＳｏＣ）、システム・イン・パーツ（ＳｉＰ）、又は他の構成（例えば、単一のパッケージ又は強固に統合されたパッケージにメモリコントローラ、プロセッサ、グラフィクスプロセッサ、メモリ、メモリインターフェース、ネットワークインターフェースなどを含む）として構成することができる。これらの実施において、ＡＯＵ１３０の様々な記載した要素をプロセッサ３１４に組み込み、プロセッサ３１４によって遂行することができる。
【００４８】
実施によっては、電源３２４は、ＡＯＵ１３０を作動させるために用いられるＡＣ／ＤＣ、バッテリ、充電式バッテリ、及び／又は他の動力であってよい。電源３２４は、典型的には、デバイスをオン／オフするための電源スイッチ（例えば、ボタン、トグル、タッチセンサー式、音声制御など）の少なくとも一形態と連動している。実施によっては、ＡＯＵ１３０は、電池の充電／再充電状態を分析してユーザに知らせる（例えば、ＯＵ１０２及び／又はＲＵ１４０を通じて）機能を果たす。一部の構成において、充電式バッテリは、ユーザが交換可能であっても交換不可能であってもよい。
【００４９】
図４は、実施による、図１のＭＭＯＳの要素としての受信ユニット（ＲＵ）１４０の低レベル図４００を示す。典型的な実施において、ＲＵ１４０は、システムバス４２６を介して通信する、ネットワークインターフェース４０２、メモリ４０６、アプリケーション４１０、視覚センサ４１２、プロセッサ４１４、ディスプレイ４１６、入力デバイス４１８、マイクロホン４２０、スピーカ４２２、及び電源４２４を含む。なお、図４には、特定の例示構成のＲＵ１４０が示されているが、ＲＵ１４０は、図示の実施に限定されない。当業者には明らかなように、本開示及び以下の記載と矛盾しないＲＵ１４０の可能な構成が数多く存在する。本開示と矛盾しない他の構成は、本開示の範囲内にあるとみなされる。例えば、他の実施において、ＲＵ１４０は、より多く若しくはより少ない構成要素を内包することができ、及び／又は通信接続は２つ以上のシステムバス４２６によって提供することができる。
【００５０】
ＲＵ１４０はネットワークインターフェース４０２を含む。図４では単一のインターフェース４０２として示されているが、特定の必要性、要望、又はＲＵ１４０及び／若しくはＭＭＯＳ１００の特定の実施に応じて、２つ以上のネットワークインターフェース４０２を用いてもよい。ネットワークインターフェース４０２は、ＭＭＯＳ１００内を含むネットワーク１６０に接続された分散環境において、他のシステム（図示及び不図示に関わりなく）と通信するためにＲＵ１４０によって用いられる。一般に、ネットワークインターフェース４０２は、ネットワーク１６０と適切に組み合わされ、ネットワーク１６０と通信するように作動するソフトウェア及び／又はハードウェアにおいてコード化されたロジックを含む。より具体的には、ネットワークインターフェース４０２は、図示したＲＵ１４０の内部及び外部でネットワーク１６０又はインターフェースのハードウェアが物理的信号を通信するように作動するよう、通信に関連する１つ以上の通信プロトコルをサポートするソフトウェアを含んでもよい。
【００５１】
メモリ４０６は、ＲＵ１４０及び／又はＭＭＯＳ１００の１つ以上の要素のためのデータを保持し、ＲＵ１４０と共に用いられる本開示と矛盾しない内部及び外部型（脱着可能）のメモリを意味する。例えば、内部型メモリは、１つ以上のフラッシュ、ＬＰＤＤＲ２などを含むことができる。外部型（脱着可能）メモリは、例えば、ＵＳＢメモリスティック、ＣＦカード、ＳＤカードなどを含むことができる。図４では単一のメモリ４０６として示されているが、特定の必要性、要望、又はＲＵ１４０及び／若しくはＭＭＯＳ１００の特定の実施に応じて、２つ以上のメモリ４０６を用いてもよい。
【００５２】
アプリケーション４１０は、特定の必要性、要望、又はＲＵ１４０の特定の実施に応じて機能を具備する、及び／又はＭＭＯＳ１００に関連し、本開示の範囲内の必要な任意の機能を遂行するアルゴリズムソフトウェアエンジンである。例えば、アプリケーション４１０は、図４に関して説明したＲＵ１４０の１つ以上の要素のための機能を具備することができる。この機能の例としては、視覚センサ４１２を用いて視覚画像を集めること、及びそれを被験者との双方向通信のためにネットワーク１６０を介してＯＵ１０２に伝送することである。アプリケーション４１０により、ネットワーク１６０を介して１つ以上のＯＵ１０２／ＡＯＵ１３０から受信した画像データを用いて、様々な程度の画像認識を遂行することもできる。更に、単一のアプリケーション４１０として示されているが、アプリケーション４１０は、ＲＵ１４０上の複数のアプリケーション４１０として実装してもよい。加えて、ＲＵ１４０と一体に示されているが、代替の実施において、アプリケーション４１０は、ＲＵ１４０及び／又はＭＭＯＳ１００の外部にあるものとすることができる。
【００５３】
視覚センサ４１２は、典型的には１つ以上の静止／移動昼光カメラ、ＩＲカメラ、紫外（ＵＶ）カメラ、又は他のスペクトルカメラを含む。例えば、視覚センサ４１２は、ＦＬＩＲ  ＬＥＰＴＯＮ熱画像装置及び昼光高解像度（ＨＤ）画像装置を用いて実施することができる。実施によっては、ＩＲ熱画像及びＨＤ昼光画像の両方を併合し、観察者にとって、並びに画像認識及び／又は分析（例えば、アプリケーション４１０及び／又はＯＵ１０２／ＡＯＵ１３０による）にとってより有用な低光画像を生成することができる。実施によっては、ＲＵ１４０は、集められた静止画像／動画と共にメタデータ（例えば、時刻、日付、地理的位置、時間間隔、セキュリティデータ、観察者識別情報、被験者識別情報など）を含むことができる。実施によっては、視覚センサ４１２を用いて集めた画像に音声（例えば、マイクロホン４２０から集められた）を加えることができる。更に、単一の視覚センサ４１２として示されているが、視覚センサ４１２は、ＲＵ１４０上の複数の視覚センサ４１２として実施してもよい。加えて、ＲＵ１４０と一体に示されているが、代替の実施において、視覚センサ４１２は、ＲＵ１４０及び／又はＭＭＯＳ１００の外部にあるものとすることができる。
【００５４】
ＲＵ１４０はプロセッサ４１４を含む。図４では単一のプロセッサ４１４として示されているが、特定の必要性、要望、又はＲＵ１４０及び／若しくはＭＭＯＳ１００の特定の実施に応じて、２つ以上のプロセッサを用いてもよい。一般に、プロセッサ４１４は、ＲＵ１４０によって遂行される動作（上記のものを含む）を遂行するために、指令を実行しデータを操作する。具体的には、プロセッサ４１４は、ＲＵ１４０及び／又はＭＭＯＳ１００（又はＭＭＯＳ１００の任意の要素）を創出する、作動させる、及び／若しくは管理するための機能、並びに／又はＭＭＯＳ１００に関連し本開示の範囲内の任意の機能を遂行するための機能、を実行することができる。実施によっては、プロセッサは、システム・オン・チップ（ＳｏＣ）、システム・イン・パーツ（ＳｉＰ）、又は他の構成（例えば、単一のパッケージ又は強固に統合されたパッケージにメモリコントローラ、プロセッサ、グラフィクスプロセッサ、メモリ、メモリインターフェース、ネットワークインターフェースなどを含む）として構成することができる。これらの実施において、ＲＵ１４０の様々な記載した要素をプロセッサ４１４に組み込み、プロセッサ４１４によって遂行することができる。
【００５５】
実施によっては、ＲＵ１４０は、可視表示及びデータの両方を観察者／監視者に提供し、観察者／監視者からのユーザ入力を受け入れるため、ディスプレイ４１６（例えば、ＬＣＤ、ＯＬＥＤなど）を含むことができる。例えば、ディスプレイ４１６は、視覚画像を表示したり、ＧＵＩを提供したり、処理したデータをグラフィック形態で（例えば、チャート／グラフで）表示したりすることなどが可能である。
【００５６】
実施によっては、入力デバイス４１８は、内蔵キーボード、キーパッド、タッチセンサー式ディスプレイ、音声指令認識装置（例えば、マイクロホン４２０及び／又は指令認識のための音声データを集めるためにＲＵ１４０と接続された／対になったスマートフォン又はスマートウォッチなどの外部デバイスを用いた）などを含むことができる。実施によっては、所望の機能は、２つ以上の入力デバイス４１８を用いて入力する必要がある場合がある。
【００５７】
マイクロホン４２０が音声入力機能を具備する一方、スピーカ４２２は音声出力機能を具備する。実施によっては、マイクロホン４２０及び／又はスピーカ４２２は、より良好な音声入力／出力解像度を提供するために、外部接続された（例えば、不図示の外部コネクタを用いて）マイクロホン４２０及び／又はスピーカ４２２を含むことができる。
【００５８】
実施によっては、電源４２４は、ＲＵ１４０を作動させるために用いられるＡＣ／ＤＣ、バッテリ、充電式バッテリ、及び／又は他の動力源であってよい。電源４２４は、典型的には、デバイスをオン／オフするための電源スイッチ（例えば、ボタン、トグル、タッチセンサー式、音声制御など）の少なくとも一形態と連動している。実施によっては、ＲＵ１４０は、電池の充電／再充電状態を分析してユーザに知らせる機能を果たす。一部の構成において、充電式バッテリは、ユーザが交換可能であっても交換不可能であってもよい。
【００５９】
実施によっては、ＯＵ１０２、ＡＯＵ１３０及び／又はＲＵ１４０、内部システムバス２２６、ケーシング、データインターフェース、アプリケーション２１０などは、ＯＵ１０２、ＡＯＵ１３０、及び／又はＲＵ１４０に対し構成要素のモジュール式着脱を可能にするように構成することができる。例えば、ＯＵ１０２は、幾つかの標準的な構成要素（例えば、メモリ２０６、アプリケーション２１０、プロセッサ２１４、入力デバイス２１８など）を含んで構成できるが、ＯＵ１０２の他の要素は、ＯＵ１０２、ＡＯＵ１３０、及び／又はＲＵ１４０に対しモジュール式に着脱可能である。例えば、モジュール式のＯＵ１０２において、視覚センサ２１２は、より良好な解像度のために、又は異なるスペクトル画像（例えば、紫外、赤外など）を集めるために置き換えることができ、指向性マイクロホン２２０、ステレオスピーカ２２２、及び強化電源２２４も同様。
【００６０】
図１乃至４に関しては図示していないが、ＯＵ１０２、ＡＯＵ１３０、及び／又はＲＵ１４０はそれぞれ、ＯＵ１０２、ＡＯＵ１３０、及び／又はＲＵ１４０を様々な表面、構造、身体部分などに対して置く、向ける、取り付ける、固定するといったことを可能にするための適切な機構を含んで構成することができる。例えば、ＡＯＵ１３０は、ストラップ（例えば、手首又は足首に取り付けるための）、クリップ（例えば、衣類又は寝具に取り付けるための）、接着剤（例えば、ＡＯＵ１３０を壁、ベッドの支柱、ベビーベッドのバーなどに取り付けるための）を含んで構成することができる。他の取り付け機構としては、ブラケット、接着剤（例えば、両面テープ）、弾性バンド、ネジ、フック、紐、タイ、面ファスナー（例えば、ＶＥＬＣＲＯ（登録商標））、ボルト／ナット、及び本開示と矛盾しない同様のものを挙げることができる。
【００６１】
なお、図１乃至４は、ＯＵ１０２、ＡＯＵ１３０、ＲＵ１４０、及びネットワーク１６０の可能な一の実施を示す。実施によっては、図１乃至４においてＯＵ１０２、ＡＯＵ１３０、ＲＵ１４０、及び／又はネットワーク１６０のいずれかに関して存在／記載していない要素をＯＵ１０２、ＡＯＵ１３０、ＲＵ１４０、及び／又はネットワーク１６０の何れかに関連させることができる。例えば、ＡＯＵ１３０は、図３においては、図２及び４それぞれのＯＵ１０２及びＲＵ１４０のようにＬＥＤインジケータ、入力デバイス、又はディスプレイを含んで構成されているとは記載されていないが、実施によっては、ＡＯＵ１３０は、これらの要素のうちの１つ以上を含んで構成することができる。実際には、上記のように、ＯＵ１０２に、ＡＯＵ１３０としての役割を負わせ、ＡＯＵ１３０として作動するように構成することができる。当業者にとっては言うまでもなく、ＯＵ１０２、ＡＯＵ１３０、ＲＵ１４０、及び／又はネットワーク１６０は、多数の可能な構成、センサ、関連機能などを有することができる。本開示と矛盾しないＯＵ１０２、ＡＯＵ１３０、ＲＵ１４０、ネットワーク１６０、及び／又は記載したＭＭＯＳ１００の他の要素の任意の構成は、本開示の範囲内にあるとみなされる。
【００６２】
図５は、実施による、ＭＭＯＳ１００において用いられる例示のコンピュータ５０２を示すブロック図５００である。図示するコンピュータ５０２は、任意のコンピューティングデバイス、例えば、サーバ、デスクトップコンピュータ、ラップトップ／ノートブックコンピュータ、ワイヤレスデータポート、スマートフォン、携帯情報端末（ＰＤＡ）、タブレットコンピューティングデバイス、ウェアラブルコンピュータ、スマートウォッチ、テレビ、これらのデバイス内部の１つ以上のプロセッサ、又は他の任意適切な処理デバイスを、コンピューティングデバイスの物理的及び／又は仮想インスタンスの両方を含め、包含することを意図している。加えて、コンピュータ５０２は、入力デバイス、例えばキーパッド、キーボード、タッチスクリーン、又はユーザ情報を受け入れることが可能な他のデバイス、及びデジタルデータ、視覚及び／又は聴覚情報を含むコンピュータ５０２の動作に関連する情報を伝える出力デバイス、又はＧＵＩを含むコンピュータを含んでもよい。
【００６３】
コンピュータ５０２は、典型的にはＯＵ１０２、ＡＯＵ１３０、及び／又はＲＵ１４０として機能するが、実施によっては、コンピュータ５０２は、クライアント、ネットワーク構成要素、サーバ、データベース、若しくは他の永続性要素、及び／又はＭＭＯＳ１００の他の任意の構成要素（図示及び不図示に関わりなく）としても機能することができる。図示のコンピュータ５０２は、ネットワーク５３０（例えば、図１及び図２乃至図４のネットワーク１６０）に通信可能に接続されている。実施によっては、コンピュータ５０２の１つ以上の構成要素は、クラウドコンピューティングベースの環境内で作動するように構成されてもよい。
【００６４】
高レベルでは、コンピュータ５０２は、ＭＭＯＳ１００に関連するデータ及び情報を受信、伝達、処理、格納、又は管理するように作動する電子コンピューティングデバイスである。実施によっては、コンピュータ５０２は、アプリケーションサーバ、電子メールサーバ、ウェブサーバ、キャッシングサーバ、ストリーミングデータサーバ、ビジネスインテリジェンス（ＢＩ）サーバ、及び／又は他のサーバを更に含んでもよく、それらに通信可能に接続されてもよい。
【００６５】
コンピュータ５０２は、ネットワーク５３０を介してアプリケーション（例えば、別のコンピュータ５０２上で実行されるアプリケーション５０７又は別のアプリケーション）から要求を受信し、アプリケーション（例えば、アプリケーション５０７）において前記要求を処理することにより受信した要求に応えることができる。加えて、要求は、内部ユーザ（例えば、コマンドコンソールから、又は他の適切なアクセス方法によって）、外部又は第三者、他の自動化されたアプリケーション、更には他の任意で適切な実体、個人、システム、又はコンピュータからコンピュータ５０２へ送信することもできる。
【００６６】
コンピュータ５０２の構成要素のそれぞれは、システムバス５０３を用いて通信することができる。実施によっては、コンピュータ５０２の構成要素のいずれか及び／又は全ては、ハードウェア及び／又はソフトウェア共に、アプリケーションプログラミングインターフェース（ＡＰＩ）５１２及び／又はサービスレイヤ５１３を用い、システムバス５０３を介して互いに、及び／又はネットワークインターフェース５０４と連動してもよい。ＡＰＩ５１２は、ルーチン、データ構造、及びオブジェクトクラスのための仕様を含んでもよい。ＡＰＩ５１２は、コンピュータ言語依存／非依存のいずれであってもよく、完全なインターフェース、単一機能、又はＡＰＩのセットであってもよい。サービスレイヤ５１３は、コンピュータ５０２及び／又はＭＭＯＳ１００にソフトウェアサービスを提供する。このサービスレイヤを用いて全てのサービス消費者がコンピュータ５０２の機能にアクセス可能であってもよい。サービスレイヤ５１３が提供するサービスなどのソフトウェアサービスは、定義されたインターフェースを通じて再利用可能な、定義されたビジネス機能を提供する。例えば、インターフェースは、ＪＡＶＡ（登録商標）、Ｃ＋＋、又は拡張マークアップ言語（ＸＭＬ）フォーマット又は他の適切なフォーマットでデータを提供する他の適切な言語で書かれたソフトウェアであってもよい。コンピュータ５０２の内蔵構成要素として示されているが、代替の実施は、ＡＰＩ５１２及び／又はサービスレイヤ５１３をコンピュータ５０２及び／又はＭＭＯＳ１００の他の構成要素に関して独立型の構成要素として示してもよい。更に、ＡＰＩ５１２及び／又はサービスレイヤ５１３のいずれか又は全てのパーツは、本開示の範囲から逸脱することなく、別のソフトウェアモジュール、アプリケーション、又はハードウェアモジュールの子モジュール又はサブモジュールとして実装してもよい。
【００６７】
コンピュータ５０２は、ネットワークインターフェース５０４を含む。図５では、単一のネットワークインターフェース５０４として示されているが、特定の必要性、要望、又はコンピュータ５０２及び／若しくはＭＭＯＳ１００の特定の実施に応じて、２つ以上のネットワークインターフェース５０４を用いてもよい。ネットワークインターフェース５０４は、ＭＭＯＳ１００内を含むネットワーク５３０に接続された分散環境において、他のシステム（図示及び不図示に関わりなく）と通信するためにコンピュータ５０２によって用いられる。一般に、ネットワークインターフェース５０４は、ネットワーク５３０と適切に組み合わされ、ネットワーク５３０と通信するように作動するソフトウェア及び／又はハードウェアにおいてコード化されたロジックを含む。より具体的には、ネットワークインターフェース５０４は、図示のＭＭＯＳ１００の内部及び外部でネットワーク５３０又はインターフェースのハードウェアが物理的信号を通信するように作動するよう、通信に関連する１つ以上の通信プロトコルをサポートするソフトウェアを含んでもよい。
【００６８】
コンピュータ５０２はプロセッサ５０５を含む。図５では単一のプロセッサ５０５として示されているが、特定の必要性、要望、又はコンピュータ５０２及び／若しくはＭＭＯＳ１００の特定の実施に応じて、２つ以上のプロセッサを用いてもよい。一般に、プロセッサ５０５は、コンピュータ５０２の動作を遂行するために指令を実行しデータを操作する。具体的には、プロセッサ５０５は、ＭＭＯＳ１００（又はＭＭＯＳ１００の任意の要素）を創出する、作動させる、及び／若しくは管理するための機能、並びに／又は、ＭＭＯＳ１００に関連し本開示の範囲内の任意の機能を遂行するための機能、を実行することができる。
【００６９】
コンピュータ５０２は、コンピュータ５０２及び／又はＭＭＯＳ１００の他の構成要素のためのデータを保持するメモリ５０６を更に含む。図５では単一のメモリ５０６として示されているが、特定の必要性、要望、又はコンピュータ５０２及び／若しくはＭＭＯＳ１００の特定の実施に応じて、２つ以上のメモリを用いてもよい。メモリ５０６は、コンピュータ５０２の内蔵構成要素として示されているが、代替の実施において、メモリ５０６は、コンピュータ５０２及び／又はＭＭＯＳ１００の外部にあるものとすることができる。
【００７０】
アプリケーション５０７は、特定の必要性、要望、又はコンピュータ５０２の特定の実施に応じ、特に、ＭＭＯＳ１００（又はＭＭＯＳ１００の任意の要素）を創出する、作動させる、及び／若しくは管理するために必要な機能、並びに／又は、ＭＭＯＳ１００に関連し本開示の範囲内の任意の機能を遂行するために必要な機能に関して機能を提供するアルゴリズムソフトウェアエンジンである。例えば、アプリケーション５０７は、図１及び図２乃至図４、並びに／又は図４に関して記載した１つ以上の構成要素、モジュール、アプリケーションなどのための機能を提供することができる。更に、単一のアプリケーション５０７として示されているが、アプリケーション５０７は、コンピュータ５０２上の複数のアプリケーション５０７として実施してもよい。加えて、コンピュータ５０２と一体に示されているが、代替の実施において、アプリケーション５０７は、コンピュータ５０２及び／又はＭＭＯＳ１００の外部にあるものとすることができる。
【００７１】
ＭＭＯＳ１００に関連する、又はＭＭＯＳ１００の外部にあって、ネットワーク５３０を介して通信する任意の数のコンピュータ５０２が存在してもよい。更に、「クライアント」、「ユーザ」という用語、及び他の適切な専門用語は、本開示の範囲を逸脱することなく適宜交換可能に用いることができる。更には、本開示は、複数のユーザが１台のコンピュータ５０２を用い得る、又は、１人のユーザが複数のコンピュータ５０２を用い得ることを企図している。
【００７２】
図６は、実施による、ＭＭＯＳ１００の使用方法６００のフローチャートである。
【００７３】
説明を明瞭にするため、以下の記載は一般に図１乃至図５の文脈において方法６００を記載する。しかし、当然ながら、方法６００は、他の任意適切なシステム、環境、ソフトウェア、及びハードウェア、又はシステム、環境、ソフトウェア、及びハードウェアの組み合わせによって適宜遂行されてもよい。実施によっては、方法６００の様々なステップは、並行して、組み合わせて、ループで、又は任意の順序で実行することができる。
【００７４】
ステップ６０２において、周囲環境に関連して観察ユニット（ＯＵ）及び補助観察ユニット（ＡＯＵ）センサが較正される（例えば、上述のように）。典型的な実施において、周囲環境に関連した較正は、聴覚、温度、圧力、光レベル、湿度、又は嗅覚的条件のうちの少なくとも１つに関連するデータを含む。実施によっては、特定の熱センサそれ自体、熱画像、及び周囲環境の温度を用いて熱的較正を遂行することができる。方法６００は、ステップ６０２からステップ６０４へ進む。
【００７５】
ステップ６０４において、観察被験者に関連してＯＵ及びＡＯＵセンサが較正される（上述のように）。典型的な実施において、観察被験者に関連した較正は、特定の被験者、通常の皮膚温度、通常の呼吸温度、呼吸規則性、呼吸の明瞭さ、胸の上下動、心拍数、心臓の規則性、又は位置マッピングを用いた様々な身体位置のうちの少なくとも１つを含む。方法６００は、ステップ６０４からステップ６０６へ進む。
【００７６】
ステップ６０６において、受信ユニット（ＲＵ）を用いて、較正されたセンサのための監視パラメータが確立される。例えば、監視パラメータは、温度、湿度、ノイズ、被験者の位置、心拍数、呼吸数などを含むことができる。方法６００は、ステップ６０６からステップ６０８へ進む。
【００７７】
ステップ６０８において、ＲＵを用いてある種の監視が起動される。例えば、特定の被験者について、観察者は心拍数と温度だけを監視したいのかもしれない。ＲＵを用いてこれら特定の種類の監視を、他の種類を排除しつつ開始することができる。実施によっては、他の種類の監視を、（例えば、ステップ６０６のとおり、別の監視パラメータのセットを用いて）「極端な」状況が起きた場合に自動的に開始するように設定することができる。例えば、被験者の呼吸が停止したものの依然として心臓が鼓動している場合、即座に観察者に警報を出すことができる。方法６００は、ステップ６０８からステップ６１０へ進む。
【００７８】
ステップ６１０において、ＯＵ及びＡＯＵを用いてデータが集められる。方法６００は、ステップ６１０からステップ６１２へ進む。
【００７９】
ステップ６１２において、集めたデータのいずれかが、確立した監視パラメータ用の閾値を超えているか否かの判定がなされる。実施によっては、ＯＵ、ＡＯＵ、又はＲＵセンサから集めたセンサデータにメタデータを加えることができる。これらの実施において、メタデータは、時刻、日付、地理的位置、時間間隔、セキュリティデータ、観察者識別情報、又は被験者識別情報のうちの少なくとも１つを含むことができる。判定は、ＯＵ、ＡＯＵ、及びＲＵのうちの１つ以上において行うことができる。例えば、ＯＵにより画像データを集め、ＲＵに、画像分析／処理、及び監視パラメータを超えたという判定のために転送することができる。他の実施において、ＯＵは、受信した画像を処理し、警報閾値を超えたと判定された場合、ＲＵに警報信号を送信することができる。ノーであれば、ステップ６１２はステップ６１０へと戻り、データの収集が続けられる。イエスであれば、ステップ６１２はステップ６１４へ進む。
【００８０】
ステップ６１４で警報が発せられる。実施によっては、警報は、ＲＵ、ＯＵ、及びＡＯＵのうちの１つ以上で生成することができる。例えば、音声アラーム、光、ストロボ効果、様々な通信（上述のような）などを発することができる。すると、観察者は、調査を行い、必要な場合には緩和作業を行い、及び／又は生成されたアラームをリセットする／消す（例えば、ＲＵ、ＯＵ、及び／又はＡＯＵに関連するＧＵＩを用いて）。ステップ６１４の後、方法６００はステップ６１０へ戻ってデータを集める。当業者にとっては言うまでもなく、スマートデバイスアプリケーションにより、ＭＭＯＳ１００の要素に従って受信したデータを用いて遂行することができる多数の考えられる機能が存在する。図６の文脈において提供した例は、単に有益であることを意味するものであり、何ら限定することを意図するものではない。
【００８１】
記載した主題の実施は、１つ以上の特徴を単独又は組み合わせて含むことができる。
【００８２】
例えば、第１の実施において、コンピュータ実装方法は：
周囲環境に関連して観察ユニット（ＯＵ）センサと補助観察ユニット（ＡＯＵ）センサとを較正するステップと；
観察被験者に関連してＯＵセンサとＡＯＵセンサとを較正するステップと；
受信ユニット（ＲＵ）を用いて、較正されたセンサのための監視パラメータを確立するステップと；
ＲＵを用いてある種の監視を開始するステップと；
ＯＵセンサとＡＯＵセンサとからデータを集めるステップと；
集めたデータが確立された監視パラメータを超えることを判定するステップと；
判定に基づいて１つ以上の警報を生成するステップと；を備える。
【００８３】
上記及び他に記載の実施はそれぞれ、場合により以下の特徴の１つ以上を含むことができる。
【００８４】
第１の特徴は、以下の特徴のいずれかと組み合わせることができ、周囲環境に関連する較正が、音声、温度、圧力、光レベル、湿度、又は嗅覚的条件、のうちの少なくとも１つに関するデータを含む。
【００８５】
第２の特徴は、上記または下記の特徴のいずれかと組み合わせ可能であり、
観察被験者に関連した較正が、特定の被験者、通常の皮膚温度、通常の呼吸温度、呼吸規則性、呼吸の明瞭さ、胸の上下動、心拍数、心臓の規則性、又は位置マッピングを用いた様々な身体位置、のうちの少なくとも１つを含む。
【００８６】
第３の特徴は、上記または下記の特徴のいずれかと組み合わせ可能であり、
特定の熱センサそれ自体、熱画像、及び周囲環境の温度を用いて熱的較正が遂行される。
【００８７】
第４の特徴は、上記または下記の特徴のいずれかと組み合わせ可能であり、
ＯＵセンサ、ＡＯＵセンサ、又はＲＵセンサから集められたセンサデータと共にメタデータを含むステップを備える。
【００８８】
第５の特徴は、上記または下記の特徴のいずれかと組み合わせ可能であり、
メタデータが、時刻、日付、地理的位置、時間間隔、セキュリティデータ、観察者識別情報、又は被験者識別情報のうちの少なくとも１つを含むことができる。
【００８９】
第６の特徴は、上記または下記の特徴のいずれかと組み合わせ可能であり、
ＡＯＵセンサが身体に装着される、又はマットレスの上、中、若しくは下に配置される。
【００９０】
第２の実施において、作動を実行するために、コンピュータシステムによって実行可能な1つまたは複数の指令を格納する、持続性コンピュータ読み取り可能媒体であって、前記作動は：
周囲環境に関連して観察ユニット（ＯＵ）センサと補助観察ユニット（ＡＯＵ）センサとを較正するステップと；
観察被験者に関連してＯＵセンサとＡＯＵセンサとを較正するステップと；
受信ユニット（ＲＵ）を用いて、較正されたセンサのための監視パラメータを確立するステップと；
ＲＵを用いてある種の監視を開始するステップと；
ＯＵセンサとＡＯＵセンサとからデータを集めるステップと；
集めたデータが確立された監視パラメータを超えることを判定するステップと；
判定に基づいて１つ以上の警報を生成するステップと；を備える。
【００９１】
上記及び他に記載の実施はそれぞれ、場合により以下の特徴の１つ以上を含むことができる。
【００９２】
第１の特徴は、以下の特徴のいずれかと組み合わせることができ、周囲環境に関連する較正が、音声、温度、圧力、光レベル、湿度、又は嗅覚的条件、のうちの少なくとも１つに関するデータを含む。
【００９３】
第２の特徴は、上記または下記の特徴のいずれかと組み合わせ可能であり、
観察被験者に関連した較正が、特定の被験者、通常の皮膚温度、通常の呼吸温度、呼吸規則性、呼吸の明瞭さ、胸の上下動、心拍数、心臓の規則性、又は位置マッピングを用いた様々な身体位置、のうちの少なくとも１つを含む。
【００９４】
第３の特徴は、上記または下記の特徴のいずれかと組み合わせ可能であり、
特定の熱センサそれ自体、熱画像、及び周囲環境の温度を用いて熱的較正が遂行される。
【００９５】
第４の特徴は、上記または下記の特徴のいずれかと組み合わせ可能であり、
ＯＵセンサ、ＡＯＵセンサ、又はＲＵセンサから集められたセンサデータと共にメタデータを含む指令を備える。
【００９６】
第５の特徴は、上記または下記の特徴のいずれかと組み合わせ可能であり、
メタデータが、時刻、日付、地理的位置、時間間隔、セキュリティデータ、観察者識別情報、又は被験者識別情報のうちの少なくとも１つを含むことができる。
【００９７】
第６の特徴は、上記または下記の特徴のいずれかと組み合わせ可能であり、
ＡＯＵセンサが身体に装着される、又はマットレスの上、中、若しくは下に配置される。
【００９８】
第３の実施において、コンピュータシステムは：コンピュータメモリと；コンピュータメモリに相互作動可能に接続され、作動を行うように構成されたハードウェアプロセッサと；を備え、前記作動は：周囲環境に関連して観察ユニット（ＯＵ）センサと補助観察ユニット（ＡＯＵ）センサとを較正すること；観察被験者に関連してＯＵセンサとＡＯＵセンサとを較正すること；受信ユニット（ＲＵ）を用いて、較正されたセンサのための監視パラメータを確立すること；ＲＵを用いてある種の監視を開始すること；ＯＵセンサとＡＯＵセンサとからデータを集めること；集めたデータが確立された監視パラメータを超えることを判定すること；判定に基づいて１つ以上の警報を生成すること；を含む。
【００９９】
上記及び他に記載の実施はそれぞれ、場合により以下の特徴の１つ以上を含むことができる。
【０１００】
第１の特徴は、周囲環境に関連した較正が、音声、温度、圧力、光レベル、湿度、又は嗅覚的条件のうちの少なくとも１つに関するデータを含む。
【０１０１】
第２の特徴は、上記または下記の特徴のいずれかと組み合わせ可能であり、
観察被験者に関連した較正が、特定の被験者、通常の皮膚温度、通常の呼吸温度、呼吸規則性、呼吸の明瞭さ、胸の上下動、心拍数、心臓の規則性、又は位置マッピングを用いた様々な身体位置のうちの少なくとも１つを含み、特定の熱センサそれ自体、熱画像、及び周囲環境の温度を用いて熱的較正が遂行される。
【０１０２】
第３の特徴は、上記または下記の特徴のいずれかと組み合わせ可能であり、
ＯＵセンサ、ＡＯＵセンサ、又はＲＵセンサから集められたセンサデータと共にメタデータを含む１つ以上の作動を行うように構成される。
【０１０３】
第４の特徴は、上記または下記の特徴のいずれかと組み合わせ可能であり、
メタデータが、時刻、日付、地理的位置、時間間隔、セキュリティデータ、観察者識別情報、又は被験者識別情報のうちの少なくとも１つを含むことができる。
【０１０４】
第５の特徴は、上記または下記の特徴のいずれかと組み合わせ可能であり、
ＡＯＵセンサが身体に装着される、又はマットレスの上、中、若しくは下に配置される。
【０１０５】
本明細書に記載された主題及び機能作動の実施の形態は、本明細書に開示する構造及びその構造的均等物を含む、デジタル電子回路、明白に具体化されたコンピュータソフトウェア又はファームウェア、コンピュータハードウェアに、又はそれらの１つ以上の組み合わせに実装可能である。本明細書に記載された主題の実施の形態は、１つ以上のコンピュータプログラムとして、即ち、データ処理装置による実行のために、又はデータ処理装置の作動を制御するために、有形の非一時的コンピュータ記憶媒体上でコード化されたコンピュータプログラム命令の１つ以上のモジュールとして実装可能である。これに代えて、あるいはこれに加えて、人工的に発生させた伝播信号、例えば、適切な受信装置に送信し、データ処理装置によって実行できるよう、情報をコード化するために生成される機械生成による電気的、光学的又は電磁的信号上に、プログラム命令をコード化することができる。コンピュータ記憶媒体は、機械で読取り可能な記憶デバイス、機械で読取り可能な記憶基板、ランダムアクセスメモリデバイスもしくはシリアルアクセスメモリデバイス、又はこれらの１つ以上の組み合わせとすることができる。
【０１０６】
「データ処理装置」、「コンピュータ」又は「電子コンピュータデバイス」（又は当業者が理解する均等物）という用語は、データ処理ハードウェアを意味し、データを処理する全ての種類の装置、デバイス、及び機械を包含する。例としては、プログラム可能なプロセッサ、コンピュータ、又は複数のプロセッサ又はコンピュータが挙げられる。装置はまた、特殊目的の論理回路、例えば、中央演算処理装置（ＣＰＵ：ｃｅｎｔｒａｌ  ｐｒｏｃｅｓｓｉｎｇ  ｕｎｉｔ）、ＦＰＧＡ（ｆｉｅｌｄ  ｐｒｏｇｒａｍｍａｂｌｅ  ｇａｔｅ  ａｒｒａｙ：フィールドプログラマブルゲートアレイ）、又はＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ：特定用途向け集積回路）とすることができる、又はそれを更に含むことができる。実施の形態によっては、データ処理装置及び／又は特殊目的の論理回路は、ハードウェアベースのもの及び／又はソフトウェアベースのものであってもよい。装置は、場合によりコンピュータプログラム用の実行環境を創出するコード、例えば、プロセッサのファームウェア、プロトコルスタック、データベース管理システム、オペレーティングシステム、又はこれらの１つ以上の組み合わせを構成するコードを含むことができる。本開示は、従来のオペレーティングシステム、例えば、ＬＩＮＵＸ、ＵＮＩＸ（登録商標）、ＷＩＮＤＯＷＳ（登録商標）、ＭＡＣ  ＯＳ、ＡＮＤＲＯＩＤ（登録商標）、ＩＯＳ、又は他の任意の適切な従来のオペレーティングシステムを含む、又は含まない、データ処理装置の使用を意図している。
【０１０７】
コンピュータプログラムは、プログラム、ソフトウェア、ソフトウェアアプリケーション、モジュール、ソフトウェアモジュール、スクリプト、又はコードとも呼ばれたり記載されたりすることがあるが、コンパイラ型言語もしくはインタープリタ型言語、又は宣言型言語もしくは手続型言語を含む任意の形態のプログラミング言語で書くことができ、スタンドアロンプログラム又はモジュール、コンポーネント、サブルーチン、又はコンピューティング環境での使用に適した他のユニットを含む任意の形態で展開することができる。コンピュータプログラムは、ファイルシステム内のファイルに対応していてもよいが、必ずしもその必要はない。プログラムは、他のプログラム又はデータ、例えば、マークアップ言語文書、対象のプログラム専用の単一ファイル、又は複数の連携ファイル、例えば、１つ以上のモジュール、サブプログラム、又はコードの一部を記憶するファイル、に記憶される１つ以上のスクリプトを保持するファイルの一部に記憶することができる。コンピュータプログラムは、１つのコンピュータ、又は１カ所に位置するもしくは複数の場所に分散され通信ネットワークによって相互接続された複数のコンピュータ上で実行されるように展開することができる。様々な図に示すプログラムの一部は、様々なオブジェクト、方法、又は他のプロセスを通じて様々な特徴及び機能を実装する個々のモジュールとして示されているが、プログラムは、これに代えて、サブモジュール、第三者によるサービス、コンポーネント、ライブラリ、及びそのようなものを必要に応じ複数含んでもよい。反対に、様々なコンポーネントの特徴及び機能は、適宜に単一コンポーネントにまとめてもよい。
【０１０８】
本明細書に記載するプロセス及び論理フローは、入力データで作動し出力を生成することで機能を遂行するために１つ以上のコンピュータプログラムを実行する１つ以上のプログラム可能なコンピュータによって遂行することができる。プロセス及び論理フローはまた、特殊目的の論理回路、例えば、ＣＰＵ、ＦＰＧＡ、又はＡＳＩＣによって遂行することもでき、装置をこれらとして実装することもできる。
【０１０９】
コンピュータプログラムの実行に適するコンピュータは、汎用及び特殊目的マイクロプロセッサの一方、両方、又は他の種類のＣＰＵに基づくものとすることができる。一般に、ＣＰＵは、命令とデータとを読取り専用メモリ（ＲＯＭ：ｒｅａｄ−ｏｎｌｙ  ｍｅｍｏｒｙ）もしくはランダムアクセスメモリ（ＲＡＭ：ｒａｎｄｏｍ  ａｃｃｅｓｓ  ｍｅｍｏｒｙ）、又は両者から受信する。コンピュータの必須要素は、命令を遂行又は実行するためのＣＰＵと、命令とデータを記憶するための１つ以上のメモリデバイスである。一般に、コンピュータは、更に、データを記憶するための１つ以上の大容量記憶デバイス、例えば、磁気ディスク、光磁気ディスク、又は光ディスクを含むか、これらからデータを受信する、もしくはこれらにデータを送信するようにこれらに作動可能に連結されているか、その両方である。ただし、コンピュータは、こうしたデバイスを有していなくてもよい。加えて、コンピュータは、別のデバイス、例えば、幾つか例を挙げると、携帯電話、携帯情報端末（ＰＤＡ：ｐｅｒｓｏｎａｌ  ｄｉｇｉｔａｌ  ａｓｓｉｓｔａｎｔ）、携帯オーディオプレイヤ又はビデオプレイヤ、ゲーム機、全地球測位システム（ＧＰＳ）受信機、又はポータブル記憶デバイス、例えば、ユニバーサルシリアルバス（ＵＳＢ）フラッシュドライブに組込むことができる。
【０１１０】
コンピュータプログラム命令及びデータの記憶に適するコンピュータ可読媒体（必要に応じ一時性又は非一時性）は、全ての形態の不揮発性メモリ、媒体及びメモリデバイスを含む。例としては、半導体メモリデバイス、例えば、消去可能プログラマブル読取り専用メモリ（ＥＰＲＯＭ：ｅｒａｓａｂｌｅ  ｐｒｏｇｒａｍｍａｂｌｅ  ｒｅａｄ−ｏｎｌｙ  ｍｅｍｏｒｙ）、電気的消去可能プログラマブル読取り専用メモリ（ＥＥＰＲＯＭ：ｅｒａｓａｂｌｅ  ｐｒｏｇｒａｍｍａｂｌｅ  ｒｅａｄ−ｏｎｌｙ  ｍｅｍｏｒｙ）、及びフラッシュメモリデバイス；磁気ディスク、例えば、内蔵ハードディスク又はリムーバブルディスク；光磁気ディスク；ならびにＣＤ−ＲＯＭ、ＤＶＤ＋／−Ｒ、ＤＶＤ−ＲＡＭ、及びＤＶＤ−ＲＯＭディスクが挙げられる。メモリは、キャッシュ、クラス、フレームワーク、アプリケーション、バックアップデータ、ジョブ、ウェブページ、ウェブページテンプレート、データベーステーブル、ビジネス情報及び／又は動的な情報を記憶するリポジトリ、及び任意のパラメータ、変数、アルゴリズム、命令、規則、制約又はこれらへの参照を含む他の任意の適切な情報といった様々なオブジェクト又はデータを記憶してもよい。加えて、メモリは、例えばログ、ポリシ、セキュリティデータ又はアクセスデータ、報告ファイルなどのような他の任意適切なデータを含んでもよい。プロセッサ及びメモリは、特殊目的の論理回路によって補完されてもよく、これと統合されてもよい。
【０１１１】
ユーザとの情報交換（対話）を実現するため、本明細書に記載する主題の実施の形態は、情報をユーザに表示するためのディスプレイデバイス、例えば、ＣＲＴ（ｃａｔｈｏｄｅ  ｒａｙ  ｔｕｂｅ：陰極線管）、ＬＣＤ（ｌｉｑｕｉｄ  ｃｒｙｓｔａｌ  ｄｉｓｐｌａｙ：液晶ディスプレイ）、ＬＥＤ（Ｌｉｇｈｔ  Ｅｍｉｔｔｉｎｇ  Ｄｉｏｄｅ：発光ダイオード）、又はプラズマモニタと、ユーザがコンピュータに入力できるキーボード及びポインティングデバイス、例えば、マウス、トラックボール、又はトラックパッドを有するコンピュータに実装することができる。コンピュータへの入力は、感圧性を有するタブレットコンピュータ表面、容量もしくは電気検知を用いたマルチタッチスクリーン、又は他のタイプのタッチスクリーンなどのタッチスクリーンを使用して行ってもよい。他の種類のデバイスを使用してユーザとの情報交換（対話）を実現することもできる。例えば、ユーザへのフィードバックは、任意の形態の感覚フィードバック、例えば、視覚フィードバック、聴覚フィードバック、又は触覚フィードバックとすることができ、ユーザからの入力は、音響入力、音声入力、又は触覚入力を含む、任意の形態で受信することができる。加えて、コンピュータは、ユーザが使用するデバイスにドキュメントを送信しユーザが使用するデバイスからドキュメントを受信することで、例えば、ウェブブラウザから受信した要求に応えてユーザのクライアントデバイス上のウェブブラウザにウェブページを送信することで、ユーザと情報を交換（対話）することができる。
【０１１２】
「グラフィカルユーザインターフェース」又は「ＧＵＩ」という用語は、１つ以上のグラフィカルユーザインターフェース及び特定のグラフィカルユーザインターフェースのそれぞれの表示を記載するのに、単数形又は複数形で使用する場合がある。したがって、ＧＵＩは、情報を処理し効率的に情報結果をユーザに提示する、ウェブブラウザ、タッチスクリーン、又はコマンドラインインターフェース（ＣＬＩ：ｃｏｍｍａｎｄ  ｌｉｎｅ  ｉｎｔｅｒｆａｃｅ）を含むがそれに限らない、任意のグラフィカルユーザインターフェースを表す場合がある。一般に、ＧＵＩは、ビジネススイートユーザが作動可能な情報交換フィールド、プルダウンリスト、及びボタンなどの複数のユーザインターフェース（ＵＩ：ｕｓｅｒ  ｉｎｔｅｒｆａｃｅ）要素を含む場合があり、その一部又は全部が、ウェブブラウザと関連している。これらのＵＩ要素及び他のＵＩ要素が、ウェブブラウザの機能と関連していてもよく、ウェブブラウザの機能を表していてもよい。
【０１１３】
本明細書に記載された主題の実施の形態は、例えばデータサーバのようなバックエンドコンポーネントを含むコンピューティングシステム、又は、ミドルウェアコンポーネント、例えば、アプリケーションサーバを含むコンピューティングシステム、又は、フロントエンドコンポーネント、例えば、ユーザと本明細書に記載された主題の実施の形態との情報交換（対話）を可能にするウェブブラウザもしくはグラフィカルユーザインターフェースを有するクライアントコンピュータを含むコンピューティングシステム、又はこうしたバックエンド、ミドルウェア、又はフロントエンドコンポーネントの１つ以上の任意の組み合わせに実装することができる。システムのコンポーネントは、無線通信及び／又は無線デジタルデータ通信の任意の形態又は媒体、例えば、通信ネットワークによって相互接続できる。通信ネットワークの例としては、ローカルエリアネットワーク（ＬＡＮ：ｌｏｃａｌ  ａｒｅａ  ｎｅｔｗｏｒｋ）、無線アクセスネットワーク（ＲＡＮ：ｒａｄｉｏ  ａｃｃｅｓｓ  ｎｅｔｗｏｒｋ）、メトロポリタンエリアネットワーク（ＭＡＮ：ｍｅｔｒｏｐｏｌｉｔａｎ  ａｒｅａ  ｎｅｔｗｏｒｋ）、広域ネットワーク（ＷＡＮ：ｗｉｄｅ  ａｒｅａ  ｎｅｔｗｏｒｋ）、マイクロ波アクセスのための世界的な相互運用サービス（ＷＩＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、例えば８０２．１１ａ／ｂ／ｇ／ｎ及び／又は８０２．２０を使用する無線ローカルエリアネットワーク（ＷＬＡＮ：ｗｉｒｅｌｅｓｓ  ｌｏｃａｌ  ａｒｅａ  ｎｅｔｗｏｒｋ）、インターネットの一部又は全部、及び／又は一カ所以上での他の任意の通信システムが挙げられる。ネットワークは、ネットワークアドレス間で、例えば、インターネットプロトコル（ＩＰ：Ｉｎｔｅｒｎｅｔ  Ｐｒｏｔｏｃｏｌ）パケット、フレームリレーフレーム、非同期転送モード（ＡＴＭ：Ａｓｙｎｃｈｒｏｎｏｕｓ  Ｔｒａｎｓｆｅｒ  Ｍｏｄｅ）セル、音声、動画、データ、及び／又は他の適切な情報と通信してもよい。
【０１１４】
コンピューティングシステムは、クライアントとサーバとを含むことができる。クライアントとサーバは一般に互いに離れており、典型的には通信ネットワークを通じて情報交換する。クライアントとサーバの関係は、それぞれのコンピュータ上で作動し、互いにクライアント−サーバ関係を有するコンピュータプログラムによって生じる。
【０１１５】
実施の形態によっては、コンピューティングシステムのコンポーネントのいずれか又は全部は、ハードウェア及び／又はソフトウェアともに、アプリケーションプログラミングインターフェース（ＡＰＩ）及び／又はサービスレイヤを使用して互いに及び／又はインターフェースと連携してもよい。ＡＰＩは、ルーチン、データ構造、及びオブジェクトクラス用の仕様を含んでもよい。ＡＰＩは、コンピュータ言語非依存でも依存でもよく、完全なインターフェース、単機能、又は一組のＡＰＩに当てはまるものであってもよい。サービスレイヤは、コンピューティングシステムにソフトウェアサービスを提供する。コンピューティングシステムの様々なコンポーネントの機能は、このサービスレイヤを用いてサービス購入者が誰でもアクセス可能なものであってもよい。ソフトウェアサービスは、定義されたインターフェースを介して再使用可能な、定義されたビジネス機能を提供する。例えば、インターフェースは、ＪＡＶＡ（登録商標）、Ｃ＋＋、又は、拡張マークアップ言語（ＸＭＬ）フォーマット又は他の適切なフォーマットでデータを提供する他の適切な言語で書かれたソフトウェアであってもよい。ＡＰＩ及び／又はサービスレイヤは、コンピューティングシステムの他のコンポーネントに関連する一体のコンポーネント及び／又はスタンドアロンコンポーネントであってもよい。更には、サービスレイヤの一部又は全ての部分は、本開示の範囲から逸脱しない範囲で、別のソフトウェアモジュール、アプリケーション、又はハードウェアモジュールの子モジュール又はサブモジュールとして実装されてもよい。
【０１１６】
本明細書は多くの特定の実施の形態の詳細を含むが、これらは任意の発明の範囲又は請求され得るものの範囲に対する制限とみなすべきではなく、特定の発明の特定の実施の形態に固有であり得る特徴の記載とみなすべきである。個別の実施の形態の文脈において本明細書に記載されるある種の特徴はまた、単一の実施の形態において組み合わせて実施され得る。反対に、単一の実施の形態の文脈において記載される様々な特徴はまた、複数の実施の形態において別々に又は任意の適切なサブコンビネーションで実施され得る。更に、特徴がある種の組み合わせで作動するものとして上で記載され、そのようなものとして最初に請求されることさえあるが、請求される組み合わせからの１以上の特徴は、場合によっては組み合わせから除外されてもよいし、請求される組み合わせは、サブコンビネーション又はサブコンビネーションの変形を対象としてもよい。
【０１１７】
主題の特定の実施の形態を記載した。記載された実施の形態の他の実施の形態、変更、及び変形は、当業者には明らかなように、以下の特許請求の範囲内に含まれる。作動は、図面又は特許請求において特定の順序で描かれるが、これは、所望の結果を得るために、このような作動が、示される特定の順序又は連続的順序で遂行されること、又は図示される全ての作動が実行されることを要求するものとして理解するべきではない（作動の一部は必須ではないと考えてよい）。ある種の状況では、マルチタスキング及び並行処理が有用であり得る。
【０１１８】
更に、上記の実施の形態における様々なシステムモジュール及びコンポーネントの分離及び／又は統合は、全ての実施の形態においてこのような分離及び／又は統合が要求されるものとして理解するべきではなく、記載されたプログラムコンポーネント及びシステムは一般に、単一のソフトウェア製品にまとめるか、複数のソフトウェア製品にパッケージ化することができるものと理解すべきである。
【０１１９】
したがって、上の実施の形態としての実施の記載は、この開示を規定又は限定するものではない。この開示の精神及び範囲から逸脱することなく他の変更、置換又は改変も可能である。
【図１】
2018513738.tif 000003
【図２】
2018513738.tif 000004
【図３】
2018513738.tif 000005
【図４】
2018513738.tif 000006
【図５】
2018513738.tif 000007
【図６】
2018513738.tif 000008
【国際調査報告】
2018513738.tif 000009